(57)【要約】【課題】ユーザが希望する地域での情報を提供することができるようにする。【解決手段】ＴＶ受像機１（図１）では、放送番組やダウンロードコンテンツなどの閲覧情報が記録部８に記録されており、リモコン１２で所望の範囲の地図を要求すると、地図上報提供サーバ１７（図１）から紹介する地点情報が付加された要求された所望範囲の地図が提供される。この地図の地点情報をもとに、記録部８を検索すると、この地点情報による地点の紹介場面を含む記録閲覧情報が検索され、この記録閲覧情報のこの地点の場面のサムネイル画像が抽出されて、表示部２に表示される地図／地点画面６０での地図３１上の、この地点情報に該当する位置にこのサムネイル画像５１が表示される。また、このサムネイル画像５１を選択操作すると、該当する記録閲覧情報が、このサムネイル画像５１の部分の場面から再生され、表示される。【選択図】図７
2010217229.tif 000002
【特許請求の範囲】
【請求項１】
外部から提供される閲覧情報を取得し、該閲覧情報から紹介される地点のデータを抽出して、記録データとして、該取得した閲覧情報とともに記録し、
所望とする表示範囲の地図が指定されることにより、提供される閲覧情報から得られる地点情報を含む該表示範囲の地図を取得し、
該地点情報をもとに、記録されている該記録データを検索して、該記録データに該当する記録された該閲覧情報のサムネイル画像を取得し、
取得した該サムネイル画像を該地図での該当する地点情報の位置に付加し、
該サムネイル画像が付加された該地図を表示する
ことを特徹とする地図情報表示方法。
【請求項２】
請求項１において、
該当する記録データが記録されていない前記地点情報に対しては、表示される前記地図上での当該地点情報に該当する位置にアイコンが表示されることを特徹とする地図情報表示方法。
【請求項３】
請求項１または２において、
前記サムネイル画像は、前記地点情報に設定されている番組ＩＤ及びキーワードに一致する番組ＩＤ及びキーワードが設定されている前記記録データに該当する前記記録された閲覧情報での前記地点情報が得られた位置の画像情報であることを特徹とする地図情報表示方法。
【請求項４】
請求項１，２または３において、
表示された前記地図上の所望の前記サムネイル画像が選択されると、選択された前記サムネイル画像に該当する前記記録された閲覧情報が、選択された前記サムネイル画像に該当する場面から再生されて表示されることを特徹とする地図情報表示方法。
【請求項５】
請求項１〜４のいずれか１つにおいて、
番組ＩＤが設定されていないが、前記地点情報に設定されているキーワードに一致するキーワードが設定されている前記記録データが検索される前記地点情報に該当する前記地図上の位置に、前記アイコンとともに、当該記録データに該当する前記記録された閲覧情報を当該地点情報に対する関連情報として、該関連情報の存在を示す関連情報マークを表示することを特徹とする地図情報表示方法。
【請求項６】
請求項５において、
前記関連情報マークが選択されると、前記関連情報のリストを、夫々の前記関連情報を選択再生可能に、表示することを特徹とする地図情報表示方法。
【請求項７】
外部から提供される閲覧情報を取得し、内蔵する記録部もしくは外部記録部に記録する地図情報表示装置において、
取得した閲覧情報から該閲覧情報で紹介される地点のデータを取得し、記録データとして、該取得した閲覧情報と関連付けて該記録部もしくは該外部記録部に記録する手段と、
所望とする表示範囲の地図を指定する手段と、
提供される閲覧情報から得られる地点情報を含む該指定された表示範囲の地図を取得する手段と、
取得した該地図での該地点情報に関連する該記録データを該記録部もしくは該外部記録部で検索して、該記録データに該当する該閲覧情報のサムネイル画像を取得する手段と、
取得した該サムネイル画像を、該地図上の該地点情報に該当する位置に表示する手段と
を備えたことを特徹とする地図情報表示装置。
【請求項８】
請求項７において、
該当する記録データが記録されていない前記地点情報に対しては、表示される前記地図上での当該地点情報に該当する位置にアイコンが表示されることを特徹とする地図情報表示装置。
【請求項９】
請求項７または８において、
前記サムネイル画像は、前記記録された閲覧情報での前記地点情報が得られた位置の画像情報であることを特徹とする地図情報表示装置。
【請求項１０】
請求項７，８または９において、
表示された前記地図上の所望の前記サムネイル画像が選択されると、選択された前記サムネイル画像に該当する前記記録された閲覧情報が、選択された前記サムネイル画像に該当する場面から再生されて表示されることを特徹とする地図情報表示装置。
【請求項１１】
請求項７〜１０のいずれか１つにおいて、
番組ＩＤが設定されていないが、前記地点情報に設定されているキーワードに一致するキーワードが設定されている前記記録データが検索される前記地点情報に該当する前記地図上の位置に、前記アイコンとともに、当該記録データに該当する前記記録された閲覧情報を当該地点情報に対する関連情報として、該関連情報の存在を示す関連情報マークを表示することを特徹とする地図情報表示装置。
【請求項１２】
請求項１１において、
前記関連情報マークが選択されると、前記関連情報のリストを、夫々の前記関連情報を選択再生可能に、表示することを特徹とする地図情報表示装置。
【発明の詳細な説明】
【技術分野】
【０００１】
本発明は、表示画面に地図を表示し、この地図から所望の情報を提供することができるようにした地図情報表示方法及び装置に関する。
【背景技術】
【０００２】
従来、表示画面上に地図を表示し、この地図でもって所望の情報を提供することができるようにした技術が提案されている。
【０００３】
その一例として、デジタルカメラで撮影するときに、その撮影位置をＧＰＳで取得し、この撮影位置を含む地図データを撮影画像信号にスーパインポーズし、これと撮影位置を示す位置データとともに録画するものであり、その再生時には、撮影画面にその撮影位置を含む地図がスーパーインポーズされて表示され、かつこの地図上に撮影位置が矢印などで表示されるようにしたものである（例えば、特許文献１参照）。
【０００４】
また、他の例としては、放送番組が店などの特定の対象物を紹介するものであるとき、この放送番組にはこの対象物の場所を示す場所情報が付加されているが、かかる放送番組が受信されると、これに付加されている場所情報を分離し、この場所情報で表わされる場所を表示した地図を取得し、この場所を示す地図だけを、あるいはこの受信した放送番組とともに表示する技術が提案されている（例えば、特許文献２参照）。
【先行技術文献】
【特許文献】
【０００５】
【特許文献１】特開平７ー２８８７２５号公報
【特許文献２】特開２００７ー２７９９８号公報
【発明の概要】
【発明が解決しようとする課題】
【０００６】
ところで、上記特許文献１に記載の技術は、地図上で提供される情報としては、カメラで撮影を行なった場所の情報であり、その場所がそこでの撮影方向を示す矢印で示されるものである。このため、ユーザとしては、その撮影場所や撮影方向を知ることができるだけであって、かかる提供される情報からは撮影対象をしることができず、撮影の内容を表示させて確認するしか方法がない。また、受信した放送番組やダウンロードされたコンテンツで紹介される対象物については、配慮されていない。
【０００７】
これに対し、上記特許文献２に記載の技術は、放送番組で紹介される店などを対象とするものであるから、この対象物に関する情報が提供されるものであるが、この提供する情報としては、その場所を指示した地図であって、その場所までのルートを提供するものである。このため、ユーザとしては、その場所での対象物を知るためのより具体的な情報を取得することができない。
【０００８】
上記特許文献２に記載の技術は、地図でもって、放送番組で紹介される対象物への経路を提供するナビゲーションの機能を持たせるものであって、紹介される対象物も受信される放送番組で紹介されるものに限られるものである。
【０００９】
これに対し、ユーザとしては、例えば、出かけたり、旅行したりする場合、その出先でどのような店舗などの施設や見学したい名所旧跡があるかを知りたい場合があるが、上記の従来技術では、これを満足させるような情報が提供されるものではない。
【００１０】
本発明の目的は、かかる問題を解消し、ユーザが希望する地域での情報を提供することができるようにした地図情報表示方法及び装置を提供することにある。
【課題を解決するための手段】
【００１１】
上記目的を達成するために、本発明は、外部から提供される閲覧情報を取得し、閲覧情報から紹介される地点のデータを抽出して、記録データとして、取得した閲覧情報とともに記録し、所望とする表示範囲の地図が指定されることにより、提供される閲覧情報から得られる地点情報を含む表示範囲の地図を取得し、地点情報をもとに、記録されている記録データを検索して、記録データに該当する記録された閲覧情報のサムネイル画像を取得し、取得したサムネイル画像を地図での該当する地点情報の位置に付加し、サムネイル画像が付加された地図を表示することを特徴とする。
【００１２】
また、本発明は、該当する記録データが記録されていない地点情報に対しては、表示される地図上での当該地点情報に該当する位置にアイコンが表示されることを特徴とする。
【００１３】
さらに、本発明は、サムネイル画像が、記録された閲覧情報での地点情報が得られた位置の画像情報であることを特徴とする。
【００１４】
さらに、本発明は、表示された地図上の所望のサムネイル画像が選択されると、選択されたサムネイル画像に該当する記録された閲覧情報が、選択されたサムネイル画像に該当する場面から再生されて表示されることを特徴とする。
【００１５】
さらに、本発明は、番組ＩＤが設定されていないが、地点情報に設定されているキーワードに一致するキーワードが設定されている記録データが検索される地点情報に該当する地図上の位置に、アイコンとともに、当該記録データに該当する記録された閲覧情報を当該地点情報に対する関連情報として、関連情報の存在を示す関連情報マークを表示することを特徹とする。
【００１６】
さらに、本発明は、関連情報マークが選択されると、関連情報のリストを、夫々の関連情報を選択再生可能に、表示することを特徹とする。
【００１７】
上記目的を達成するために、本発明は、外部から提供される閲覧情報を取得し、内蔵する記録部もしくは外部記録部に記録する地図情報表示装置であって、取得した閲覧情報から閲覧情報で紹介される地点のデータを取得し、記録データとして、取得した閲覧情報と関連付けて記録部もしくは外部記録部に記録する手段と、所望とする表示範囲の地図を指定する手段と、提供される閲覧情報から得られる地点情報を含む指定された表示範囲の地図を取得する手段と、取得した地図での地点情報に関連する記録データを記録部もしくは外部記録部で検索して、記録データに該当する閲覧情報のサムネイル画像を取得する手段と、取得したサムネイル画像を、地図上の地点情報に該当する位置に表示する手段とを備えたことを特徴とする。
【００１８】
また、本発明は、該当する記録データが記録されていない地点情報に対しては、表示される地図上での当該地点情報に該当する位置にアイコンが表示されることを特徴とする。
【００１９】
さらに、本発明は、サムネイル画像が、記録された閲覧情報での地点情報が得られた位置の画像情報であることを特徴とする。
【００２０】
さらに、本発明は、表示された地図上の所望のサムネイル画像が選択されると、選択されたサムネイル画像に該当する記録された閲覧情報が、選択されたサムネイル画像に該当する場面から再生されて表示されることを特徴とする。
【００２１】
さらに、本発明は、番組ＩＤが設定されていないが、地点情報に設定されているキーワードに一致するキーワードが設定されている記録データが検索される地点情報に該当する地図上の位置に、アイコンとともに、当該記録データに該当する記録された閲覧情報を当該地点情報に対する関連情報として、関連情報の存在を示す関連情報マークを表示することを特徹とする。
【００２２】
さらに、本発明は、関連情報マークが選択されると、関連情報のリストを、夫々の関連情報を選択再生可能に、表示することを特徹とする。
【発明の効果】
【００２３】
本発明によると、指定された表示範囲の地図において、記録された閲覧情報で紹介される地点の情報がその地点で、サムネイル画像として、表示されるものであって、その地点に関して提供される情報の概要を容易に確認することができるし、また、かかる地点情報をもとに、該当する記録閲覧情報からその情報の内容を閲覧することができる。
【図面の簡単な説明】
【００２４】
【図１】本発明による地図情報表示方法及び装置の一実施形態を示すブロック図である。
【図２】図１における地点情報ＤＢ１９での地点情報の一具体例を示す図である。
【図３】図１における記録部８または外部記録部２１での記録データの一具体例を示す図である。
【図４】図１での地図情報提供サーバ１７からＴＶ受像機１に提供される地図／地点情報の一具体例を画面的に示す図である。
【図５】図１におけるデータ検索合成部１０の検索動作の一具体例を示すフローチャートである。
【図６】図１でのデータ検索合成部１０で作成された表示用地図／地点画面情報の一具体例を示す図である。
【図７】図６に示す表示用地図／地点画面情報４０をもとに図１での表示部２で表示される地図／地点画面の一具体例を示す図である。
【図８】図７に示す地図／地点画面５０でのリモコン操作によって表示部２に表示される記録部８または外部記録部２０からの記録閲覧情報の再生画面の一具体例を概略的に示す図である。
【図９】図７に示す地図／地点画面５０の他の表示状態を示す図である。
【図１０】図９に示す地図／地点画面５０ａでリモコンの決定操作で表示される地図／地点画面５０ｂを示す図である。
【発明を実施するための形態】
【００２５】
以下、本発明の実施形態について図面を用いて説明する。  
図１は本発明による地図情報表示方法及び装置の一実施形態を示すブロック図であって、１はＴＶ（テレビジョン）受像機、２は表示部、３は選局／処理部、４は録画部、５は記憶部、６はＣＰＵ（中央処理部）、７は操作部、８は記録部、９は通信部、１０はデータ検索合成部、１１は画面生成部、１２はリモコン（リモートコントローラ）、１３は決定キー、１４Ｕは上方向キー、１４Ｄは下方向キー、１４Ｒは右方向キー、１４Ｌは左方向キー、１５は地図情報要求キー、１６は関連情報表示ボタン、１７は地図情報提供サーバ、１８は地図データＤＢ（データベース）、１９は地点情報ＤＢ、２０はネットワーク、２１は外部記録部である。
【００２６】
同図において、ＴＶ受像機１は、操作部７を備え、リモコン１２からのその操作に伴う操作信号を光信号で受信し、この操作信号に応じて各部の動作制御を行なう。ここでは、リモコン１２では、ＴＶ受像機１を操作するための各種の操作キーが設けられているが、表示部２で表示されるカーソルの移動操作を行なうための上方向キー１４Ｕ，下方向キー１４Ｄ，右方向キー１４Ｒ及び左キー方向１４Ｌや決定キーと、地図情報を要求するための地図情報要求キー１５と、後述する関連情報を表示させるための関連情報表示ボタン１６とを示し、これら以外の操作キーは省略している。
【００２７】
放送番組信号は選局／処理部３で受信されて放送番組の画面に処理され、この画面が表示部２で表示されるが、リモコン１２を操作することにより、放送チャンネルの切り替えや音量調整，画質調整などが行なわれる。また、リモコン１２で録画操作がなされると、操作部７の動作制御のもとに、録画部４が動作し、選局／処理部３で受信された放送チャンネルの放送番組が録画部８に録画され、また、リモコン１２で所望の録画番組を指定して再生操作をすると、同じく録画部４が動作して記録部８から指定された録画番組が再生され、表示部２で表示される。同様にして、このＴＶ受像機１は、インターネットからダウンロートされたコンテンツ（以下、ダウンロードコンテンツという）やスチルカメラ（携帯電話のカメラも含む）で撮影した写真，ビデオカメラで撮影した信号（以下、ビデオという）などのコンテンツをも、記録部８に記録する機能を備えている。かかるコンテンツも、リモコン１２の操作により、記録部８から再生し、表示部２に表示させることができる。かかるコンテンツの記録部８への記録や記録部８からの再生は、操作部７の動作制御をもとに、記憶部５が記録あるいは再生動作することによって行なわれる。
【００２８】
なお、以下では、放送番組やダウンロードコンテンツ，写真，ビデオを総称する場合には、閲覧情報といい、記録部８に記録されている閲覧情報を記録閲覧情報ということにする。
【００２９】
記録部８に閲覧情報が記録されるときには、ＣＰＵ６の制御のもとに、この記録閲覧情報に対して、記録部８からのその検索のための記録データが作成され、記録部８に記録される。
【００３０】
このＴＶ受像機１は、さらに、インターネットなどのネットワーク２０と接続された通信部９を備えている。このネットワーク２０には、地図データＤＢ１８や地点情報ＤＢ１９とを備えた地図情報提供サーバ１７が接続されている。
【００３１】
なお、この地点情報ＤＢ１９には、地図情報サービスで提供される情報の１つである、地点（例えば、レストランや商店，旅館，駐車場，駅などの施設や史跡などの名所旧跡など）の情報（地点情報）が記憶されている。番組が放送されると、その番組内に登場あるいは紹介された地点の地点情報ＤＢ１９の地点情報に対し、当該番組と関連付ける情報が登録される。登録は、番組を製作あるいは放送した者、または当該地点の関係者が行なう場合と、地図サービスのユーザが口こみサービスの１つとして行なう場合とがある。
【００３２】
あるいはまた、ＴＶ受像機１で記録部８に録画される放送番組やダウンロードコンテンツに対してのみ、その地点情報が地図情報提供サーバ１７の地点ＤＢ１８に記憶されるようにしてもよい。この場合には、ＴＶ受像機１において、記録部８で放送番組の録画やダウンロードコンテンツの記録が行なわれると、かかる録画番組やダウンロードコンテンツを記録する旨の情報を通信部９から地図情報提供サーバ１７に通知し、地図情報提供サーバ１７では、この通知を受けると、上記のように、かかる録画番組やダウンロードコンテンツで画面表示される地点情報を放送局やコンテンツ提供サーバから取得し、あるいはかかる放送番組やダウンロードコンタンツを取得してその地点情報を作成して地点情報ＤＢ１９に記憶する。
【００３３】
リモコン１２で地図情報要求キー１５などを操作することにより、所望とする表示範囲の地図情報を要求し、かつその縮尺を指定すると、操作部７の動作制御のもとにＣＰＵ６がかかる地図情報の要求動作を行なう。これにより、通信部９からネットワーク２０を介して地図情報提供サーバ１７にこの指定された縮尺で指定された表示範囲の地図情報の要求信号が送信される。この要求に応じて、地図情報提供サーバ１７は、地図データＤＢ１８からこの指定された表示範囲の地図情報を読み取って指定された縮尺の地図情報とし、また、地点情報ＤＢ１９からこの指定された表示範囲内の地点情報を読み取り、この地図情報に地点情報を付加した地図／地点情報ａを作成し、ネットワーク２０を介してＴＶ受像機１に提供する。
【００３４】
そこで、ＴＶ受信機１では、かかる地図／地点情報ａが通信部９で受信され、データ検索合成部１０に供給される。データ検索合成部１０は、ＣＰＵ６の制御のもとに、この地図／地点情報ａから録画番組やダウンロードコンテンツなどの記録閲覧情報の番組ＩＤを抽出し、この地点情報をもと、記録部８でこの番組ＩＤによる地点の施設や名所旧跡の紹介画像を含む録画番組やダウンロードコンテンツなどを検索し、検索された当該記録閲覧情報のかかる地点のサムネイル画像を読み出して、地図／地点情報ａによる地図画面での該当する地点にこのサムネイル画像が対応付けられた表示用地図／地点情報ｂを作成する。この表示用地図／地点情報ｂはブラウザなどからなる表示生成部１１に供給され紹介地点地図画面が作成され、表示部２に供給されて表示される。
【００３５】
なお、ネットワーク２０に接続された外部記録部２１に、リモコン１２の操作により、あるいは図示しないパソコンなどにより、記録閲覧情報が保存された場合には、データ検索合成部１０は、この外部記録部２１から録画番組やダウンロードコンテンツのサムネイル画像を検索し、これを用いて表示用地図／地点画面を作成するようにすることもできる。
【００３６】
図２は図１における地点情報ＤＢ１９での地点情報の一具体例を示す図であって、２２は地点情報、２３ａは地点データ番号、２３ｂは地点種別、２３ｃは地点位置、２３ｄはキーワード、２３ｅは番組ＩＤ、２３ｆは地点名称、２３ｇはリンク情報、２３ｈは地点識別番号である。
【００３７】
同図において、地点情報ＤＢ１９には、各地点毎に地点情報２２が記憶されており、かかる地点情報２２は、これに割り当てられた特有の地点データ番号２３ａと、レストランなどの施設や名所旧跡などの地点の種類毎に区分した地点種別２３ｂと、地点の地図上の位置を表わす地点位置２３ｃと、その地点の住所や電話番号，店舗名などのその地点を特定することができるキーワード２３ｄと、この地点を紹介した放送番組もしくはダウンロードコンテンツのＩＤを示す番組ＩＤ２３ｅ（但し、存在する場合）、この地点の名称２３ｆ、この地点に関連するインターネット上の情報にアクセスするためのリンク情報２３ｇ（複数存在する場合には、夫々に順位付け）、この地点に割り付けられた地点識別番号２３ｈなどからなっている。
【００３８】
図３は図１における記録部８または外部記録部２１での記録データの一具体例を示す図であって、２４は記録データ、２５ａは記録データ番号、２５ｂは記録閲覧情報の種別、２５ｃは記録閲覧情報の保存場所、２５ｄは閲覧情報名、２５ｅは付加情報、２５ｆは録画番組のＩＤ、２５ｇはキーワード、２５ｈはサムネイル画像保存位置である。
【００３９】
同図において、記録部８には、上記のように、各記録閲覧情報毎に記録データ２４が作成されて記録されている。この記録データ２４は、それに割り当てられた特有の記録データ番号２５ａと、録画番組やダウンロートコンテンツ，写真，ビデオといった記録閲覧情報の種別を示す種別２５ｂと、この記録データ２４に該当する記録閲覧情報の記録部８や外部記録部２１での保存場所を示す記録閲覧情報保存場所２５ｃと、番組名やファイル名などの記録閲覧情報の名称を示す閲覧情報名２５ｄと、記録閲覧情報の記録日時や詳細情報，録画番組のチャンネル名などの付加情報２５ｅと、録画番組のＩＤである番組ＩＤ２５ｆと、地点情報１９（図２）でのキーワード２３ｄと同様のキーワード２５ｇと、該当する記録閲覧情報でのキーワード２５ｇに該当するサムネイル画像が保存されている記録部８での保存位置を示すサムネイル画像保存位置２５ｈなどから構成されている。
【００４０】
ここで、録画番組の付加情報２５ｅは、この放送番組に付加されている情報であり、あるいは番組表情報で提供される情報であって、放送番組を録画番組として録画するときに、この放送番組から、あるいは番組表情報から取得したものである。あるいは、リモコン１２（図１）での所望チャンネルの録画あるいは録画予約の操作により、この所望チャンネルのキー情報（番組名など）がインターネットのサーバに送信され、このサーバからこの放送番組の付加情報の提供を受けることができ、これを付加情報２５ｅとすることもできる。また、ダウンコンテンツについても同様であって、ダウンロード時にこのコンテンツとともに提供される付加情報を用いてもよいし、コンテンツの名称をキー情報として付加情報の提供を受けるようにしてもよい。さらに、写真の付加情報２５ｅは、撮影時に電子スチルカメラで自動的に入力される撮影日時やユーザが入力する撮影対象などの情報であり、ビデオの付加情報２５ｅも同様である。
【００４１】
また、録画番組の番組ＩＤ２５ｆは、該当する地点情報２２（図２）での番組ＩＤ２３ｅと同じものであって、放送番組に付加されているそのＩＤ、あるいは番組表情報で提供されるそのＩＤが用いられる。従って、かかるＩＤを取得できないときには、録画番組の番組ＩＤ２５ｆは存在しないことになる。なお、録画番組以外の記録閲覧情報に対しては、かかるＩＤは設定されない。
【００４２】
キーワード２５ｇは、録画番組やダウンロードコンテンツの付加情報に含まれる文字情報から地点を表わす部分をキーワードとして切り出したものであるし、あるいはかかる閲覧情報の記録部８（図１）での記録中あるいは記録後の処理で、かかる閲覧情報内の字幕や音声から地点を表わす部分をキーワードとして切り出したものである。このように、閲覧情報内から切り出したキーワード２５ｇに対しては、この切り出し位置（例えば、録画番組の開始位置からこの切り出し位置を再生するまでに要する時間）を示す情報も、該当するキーワードに関連させて記録データ２４に記録される。
【００４３】
このようにして、図２における夫々の地点情報２２は、その地点位置２３ｃにより、地図上での位置が決まり、図２での番組ＩＤ２３ｅと図３における録画番組の番組ＩＤ２５ｆとから互いに関連する地点情報と録画番組とが決まり、また、図２でのキーワード２３ｄと図３でのキーワード２５ｇとから、記録閲覧情報と地点情報２２とが決まる。ここで、キーワード２５ｇ毎にサムネイル画像が作成されて記録部８に記録されており、その保存（記録）場所はサムネイル画像保存位置２５ｈに登録されている。この場合、このサムネイル画像保存場所２４ｈはキーワード２５ｇと対応付けられている。従って、キーワード２５ｇによってこれに該当するサムネイル画像保存場所２４ｈが決まることになり、このキーワード２５ｇ、従って、地点情報２２のキーワード２３ｄを用いて該当するサムネイル画像を検索することができる。
【００４４】
このことからして、地点情報２２でのキーワード２３ｄをもとに図１でのデータ検索合成部１０によって記録部８を検索することにより、地図上での地点情報に対する録画番組やダウンロードコンテンツなどの該当するサムネイル画像を選択することができ、この地図上のこの地点情報の位置にこのサムネイル画像を表示させることができる。
【００４５】
ここで、一例として、地点データ番号２３ａが「0010200001」で地点種別２３ｂが「レストラン」の地点情報２２は、その番組ＩＤ２３ｅが「039472833」であるから、番組ＩＤ２５ｆがこれと等しい「039472833」であって、記録データ番号２５ａが「010002」で記録閲覧情報の種別２５ｂが「録画番組」である記録データ２４に該当するものであり、この「レストラン」の地点情報２２がこの記録データ２４での記録閲覧情報の記録閲覧情報保存場所２５ｃに保存されている録画番組での地点情報ということになる。そして、この「レストラン」の地点情報２２に対する録画番組のサムネイル画像は、記録部８または外部記録部２１でのサムネイル画像保存場所２５ｈで指定される保存場所に記録されている。
【００４６】
図４は図１での地図情報提供サーバ１７からＴＶ受像機１に提供される地図／地点情報ａの一具体例を画面的に示す図であって、３０は画面的に示す地図／地点情報ａ、３１は地図、３２ａ〜３２ｃは地点位置、３３ａ〜３３ｃは地点種別アイコン、３４ａ〜３４ｃは地点の名称である。
【００４７】
先に説明したように、リモコン１２（図１）の操作によって所望とする表示範囲の地図情報とその縮尺を指定すると、地図情報提供サーバ１７により、図４に示す地図／地点情報３０が作成される。
【００４８】
この地図／地点情報３０では、地図情報による指定された表示範囲で縮尺の地図３１において、録画番組やダウンロードコンテンツの地点情報２２での地点位置２３ｃで表わされる地点位置３２ａ，３２ｂ，３２ｃ夫々毎にアイコン３３ａ，３３ｂ，３３ｃが関連付けられる。
【００４９】
ここで、夫々の地点位置３２（地点位置３２ａ，３２ｂ，３２ｃの総称）での地点種別アイコン３３（地点種別アイコン３３ａ，３３ｂ，３３ｃの総称）は、地点の種別毎に異なる形態（例えば、形状や色など）が割り当てられるものであって、地点情報２２の地点種別２３ｂ毎に割り当てられているものであり、地点種別２３ｂと地点種別アイコン３３の種類との関係を示すテーブルが、例えば、地点情報ＤＢ１９に格納されており、地点情報ＤＢ１９で関連する各地点情報２２が読み出されるとともに、読み出された各地点情報２２毎に、その地点種別２３ｂをもとに、該当する地点種別アイコン３３が選択される。これにより、読み出された夫々の地点情報２２について、図４に示すように、その地点位置２３ｃによる地図３１上の位置（地点位置３２）毎に、その地点種別２３ｂに応じた地点種別アイコン３３が対応付けられる。
【００５０】
また、これとともに、かかる地点種別アイコン３３ａ，３３ｂ，３３ｃが対応する地点夫々の位置の近傍に、地点情報２２での地点名称２３ｆをもとに、その地点の名称（例えば、店の名前などの施設の名称やレストランなどといった地点種別など）３４ａ，３４ｂ，３４ｃが関連付けられる。
【００５１】
図１に示すＴＶ受像機１では、図４に示すかかる地図／地点情報３０が通信部９で受信されると、これがデータ検索合成部１０に供給される。このデータ検索合成部１０では、ＣＰＵ６の制御のもとに、この地図／地点情報３０から地点位置３２ａ，３２ｂ，３２ｃ夫々の地点情報２２が抽出されて、これら地点情報２２をもとに地点位置３２ａ，３２ｂ，３２ｃ毎に記録部８で関連する記録閲覧情報の記録データ２４（図３）の検索が行なわれ、サムネイル画像や関連情報を用いた紹介地点地図画面の表示が表示部２で行なわれる。
【００５２】
ここで、かかる記録データ２４の検索処理について、ＴＶ受像機１の動作を図５に示すフローチャートを用いて説明する。
【００５３】
同図において、通信部９で地図／地点情報ａが受信されると（ステップＳ１００）、データ検索合成部１０はこの地図／地点情報ａから地点情報２２を全て抽出し、ＣＰＵ６の制御のもとに、記録部８または外部記録部２１での該当する記録データ２４の検索を行なう。なお、以下では、記録部８について説明するが、外部記録部２１についても同様である。
【００５４】
まず、地図／地点情報ａから抽出した地点情報２２に番組ＩＤ２３ｅが設定されているか否かを判定する（ステップＳ１０１）。この番組ＩＤ２３ｅは、先に説明したように、放送番組によっては付加されていないものもあり、このような録画番組に対する地点情報２２には、番組ＩＤ２３ｅが設定されていない。
【００５５】
抽出した地点情報２２に番組ＩＤ２３ｅが設定されている場合には（ステップＳ１０１の“はい”）、この地点情報２２に該当する閲覧情報（ここでは、放送番組やダウンロードコンテンツ）が記録部８に記録されているか否かを判定するために、この番組ＩＤ２３ｅをもとに記録部８での記録データ２４（図３）を検索する（ステップＳ１０２）。そして、この番組ＩＤ２３ｅに一致する番組ＩＤ２５ｆの記録データ２４が記録部８で検索された場合には（ステップＳ１０３の“はい”）、地図／地点情報ａから抽出した地点情報２２に対する記録閲覧情報が記録部８に記録されていることになる。
【００５６】
次いで、記録部８で検索された記録データ２４に対し、地図／地点情報ａから抽出した地点情報２２でのキーワード２３ｄにおけるキーワード（以下、キーワード２３ｄという）に該当するキーワードがキーワード２５ｆに存在するか否か検索し（ステップＳ１０４）、このキーワード２３ｄがこの記録データ２４のキーワード２５ｇのいずれかのキーワードである（即ち、キーワード２５ｇが存在する）場合には（ステップＳ１０５の“はい”）、このキーワード２５ｇと記録閲覧情報でのこのキーワード２５ｇの出現（表示）位置とをこの記録データ２４の記録データ番号２５ａとセットにし、これを上記の地点情報２２の地点識別番号２３ｈと対応付けて、「一致情報」として記憶部５に保持する（ステップＳ１０６）。なお、このように、「一致情報」としてのキーワード２５ｇが決まると、このキーワード２５ｇに対する記録データ２４でのサムネイル画像保存位置２５ｈにより、サムネイル画像が決まることになる。
【００５７】
また、地図／地点情報ａから抽出した地点情報２２に番組ＩＤ２３ｅが設定されていない場合（ステップＳ１０１の“いいえ”）、あるいは、地図／地点情報ａから抽出した地点情報２２に番組ＩＤ２３ｅが設定されている場合でも（ステップＳ１０１の“はい”）、この番組ＩＤ２３ｅに一致する番組ＩＤ２５ｆの記録データ２４が記録部８に記録されていない場合には（ステップＳ１０３の“いいえ”）、地図／地点情報ａから抽出した上記の地点情報２２でのキーワード２３ｄのいずれかと一致するキーワード２５ｇが存在する記録データ２４が記録部８に存在するか否か検索し（ステップＳ１０７）、かかるキーワード２５ｇが存在する記録データ２４がある場合には（ステップＳ１０８の“はい”）、このキーワード２５ｇと記録閲覧情報でのこのキーワード２５ｇの出現（表示）位置とをこの記録データ２４の記録データ番号２５ａとセットにし、これを上記の地点情報２２の地点識別番号２３ｈと対応付けて、「関連情報」として記憶部５に保持する（ステップＳ１０６）。上記の地点情報２２でのキーワード２３ｄの全てについて、かかる検索処理が行なわれるものであり、検索された記録データ２４毎に対応付けられて、１つのまとまった「関連情報」として記憶部５に保持される。この関連情報は、この該当する地点について、後述するように、この地点に関連する情報がリストで表示されるようにする。
【００５８】
なお、記録部８で検索された記録データ２４に対し、地図／地点情報ａから抽出した地点情報２２でのキーワード２３ｄにおけるキーワード２３ｄに該当するキーワードがキーワード２５ｆに存在しない場合（ステップＳ１０５の“いいえ”）、あるいは、地図／地点情報ａから抽出した上記の地点情報２２でのキーワード２３ｄのいずれかと一致するキーワード２５ｇが存在する記録データ２４が記録部８にない場合（ステップＳ１０８の“いいえ”）、抽出した上記の地点情報２２に該当する記録閲覧情報は存在しないと判定する。
【００５９】
以上の検索動作が、地図／地点情報ａの地点情報２２について順次行なわれ（ステップＳ１１０の“いいえ”）、地図／地点情報ａの全ての地点情報２２についてかかる検索動作が完了すると（ステップＳの“はい”）、地図／地点情報ａの全ての地点情報２２について検索結果が得られて記憶部に保持されたことになる。
【００６０】
そこで、次に、記憶部５に保持された検索結果について、１つ１つその検索結果が「一致情報」であるか、「関連情報」であるかを判定し（ステップＳ１１１）、「一致情報」である場合には（ステップＳ１１２の“はい”）、この「一致情報」を構成する上記のキーワード２５ｇとその出現（表示）位置と記録データ２４の記録データ番号２５ａとのセットを基に、この記録データ２４のキーワード２５ｇに該当するサムネイル画像保存位置２５ｈを用いて記録部８から該当するサムネイル画像を読み取り、このキーワード２５ｇの出現（表示）位置をもとに、地図／地点情報ａでの該当する地点情報２２の位置にこのサムネイル画像を対応付ける（ステップＳ１１３）。
【００６１】
また、検索結果が「関連情報」である場合には（ステップＳ１１２の“いいえ”）、ＣＰＵ６に予め保持している「関連情報」マークが、キーワード２５ｇの出現（表示）位置をもとに、地図／地点情報ａでの該当する地点情報２２の位置に対応付けられる（ステップＳ１１４）。
【００６２】
以上のステップＳ１１２〜Ｓ１１４の処理が全ての検索結果に対して行われ（ステップＳ１１５の“いいえ”）、全ての検索結果に対しての処理が終了すると（ステップＳ１１５の“はい”）、地図／地点情報ａにかかる検査結果が付与された表示用地図／地点画面情報ｂが得られることになり、これがデータ検索合成部１０から表示生成部１１に供給される。
【００６３】
なお、図示しないが、地図／地点情報ａから抽出された全ての地点情報２２について、図５に示す処理が終了すると、記録部８に記録されている地図／地点情報ａの地図情報の範囲内での写真やビデオについて検索が行われ、検索された写真やビデオについても、「一致情報」が作成されてステップＳ１１３の処理が行われる。
【００６４】
図６は図１でのデータ検索合成部１０で生成される表示用地図／地点画面情報ｂの一具体例を画面的に示す図であって、４０は画面的に示す表示用地図／地点画面情報、３２ｄ，３２ｅは地点位置、４１，４１ａ，４１ｂはサムネイル画像、４２は関連情報マークであり、図４に対応する部分には同一符号を付けて重複する説明を省略する。
【００６５】
同図において、得られた表示用地図／地点画面情報４０の地図では、地点位置３２ａでの地点情報２２で「一致情報」の検索結果が得られたとすると、地点種別アイコン３３ａ（図４）に代わってサムネイル画像４１が対応付けられ、また、地点位置３２ｂでの地点情報２２で「関連情報」の検索結果が得られたとすると、地点種別アイコン３３ｂ（図４）の位置に、ここでは、一部重なるような位置関係で、関連情報マーク４２が対応付けられる。さらに、地点位置３２ｃの地点情報２２に該当する記録閲覧情報が記録部８または外部記録部２０に記録されていないときには、かかる地点情報２２に該当する記録データ２４がこの記録部８または外部記録部２０に存在しないことになるから、サムネイル画像が検索されないし、関連情報もないことになるので、表示用地図／地点画面情報４０では、これら地点位置３２ｃにそのまま地点種別アイコンが使用されたままとなる。
【００６６】
また、記録部８に記録されている写真やビデオに対しては、上記のように、「一致情報」が得られることになるので、夫々の地点位置３２ｄ，３２ｅにサムネイル画像４１ａ，４１ｂが対応付けられる。
【００６７】
このようにして作成された表示用地図／地点画面情報４０は表示生成部１１に供給され、これをもとに地図／地点画面が作成されて表示部２で表示される。
【００６８】
図７は図６に示す表示用地図／地点画面情報４０をもとに図１での表示部２で表示される地図／地点画面の一具体例を示す図であって、５０は地図／地点画面、５１はカーソルであり、図４，図６に対応する部分には同一符号を付けて重複する説明を省略する。
【００６９】
同図において、表示部２（図１）で表示される指定された範囲で縮尺の地図／地点画面５０では、表示用地図／地点画面情報４０を示した図６と同様、地図３１上での地点位置３２ａにサムネイル画像４１が、地点位置３２ｂ，３２ｃに毎に地点情報２２の地点種別２３ｂに該当する地点種別アイコン３３ｂ，３３ｃが、さらに、写真やビデオの撮影地点にサムネイル画像４１ａ，４１ｂが夫々表示される。
【００７０】
ここで、この地図／地点画面５０で表示されるサムネイル画像４１，４１ａ，４１ｂのうちのいずれか１つに、これを囲む枠状のカーソル５１が付され、このカーソル５１が付されたサムネイル画像に該当する記録閲覧情報の記録部８または外部記録部２０からの再生を可能としている。ここでは、地点位置３２ａのサムネイル画像４１にカーソル５１が付されているものとしているが、図１でのリモコン１２での上方向キー１４Ｕ，下方向キー１４Ｄ，右方向キー１４Ｒ，左方向キー１４Ｌのいずれかを操作することにより、カーソル５１を他のサムネイル画像に移動させることができる。また、このリモコン１２の決定キー１３を操作することにより、このカーソル５１が付されたサムネイル画像に該当する記録閲覧情報が記録部８または外部記録部２０から再生され、表示部２に表示される。
【００７１】
図８は図７に示す地図／地点画面５０でのリモコン操作によって表示部２に表示される記録部８または外部記録部２０からの記録閲覧情報の再生画面の一具体例を概略的に示す図であって、６０は再生画面、６１は再生画面表示エリア、６２は再生状況表示／操作エリア、６３は再生期間バー、６４は再生位置ボタン、６５ａは再生開始時点、６５ｂは再生終端時点、６６は再生状態表示マークであり、前出図面に対応する部分には同一符号を付けて重複する説明を省略する。
【００７２】
図７に示す地図／地点画面５０でリモコン１２の決定キー１３が操作されると、この地図／地点画面５０でのカーソル５１で指示されるサムネイル画像５１に該当する記録閲覧情報の再生画面６０が、図８に示すように、表示部２で表示されるが、この記録閲覧情報はこのサムネイル画像４１が抽出された場面から再生されて再生画面表示エリア６１で表示される。
【００７３】
また、再生画面６０には、再生画面表示エリア６１の下側に、再生状況表示／操作エリア６２が設けられている。この再生状況表示／操作エリア６２には、この記録閲覧情報の記録部８または外部記録部２０からの再生期間を示す再生期間バー６３が表示される。この再生期間バー６３は、その左側の端部（始端）がこの記録閲覧情報の再生開始を、右側の端部（終端）がこの記録閲覧情報の終わりを夫々表わしており、再生開始の始端には、この記録閲覧情報の始め（開始）からこの再生開始の始端での再生時間を表わす再生開始時点６５ａが時刻で表示され、終端には、この記録閲覧情報の始めからその終わりまでの再生時間を表わす再生終端時点６５ｂが時刻で表示される。また、再生期間バー６３には、再生位置ボタン６４が設けられている。この再生位置ボタン６４は、この記録閲覧情報の現在の再生位置を表わすものである。この再生位置は、再生期間バー６３でのこの記録閲覧情報の開始からの再生時間に相当する位置である。
【００７４】
図７に示す地図／地点画面５０の表示中にリモコン１２の決定ボタン１３（図１）で決定操作されると、サムネイル画像４１に該当する記録閲覧情報が、記録部８または外部記録部２０から、このサムネイル画像４１の場面から再生開始され、図８に示すように、この記録閲覧情報が表示画面６０として表示されるが、その再生期間バー６３によると、この再生開始される場面は、ここでは、再生開始時点６５ａが「00:25:12」であることから、この記録閲覧情報の開始から２５分１２秒経過した位置から再生画開始されたことになる。なお、再生終端時点６５ｂが「00:52:45」であることから、この記録閲覧情報の全体の閲覧時間（表示時間）は５２分４５秒ということになる。
【００７５】
なお、リモコン１２の操作により、図示しないカーソルで再生位置ボタン６４を指定し、決定キー１３を操作した後、右方向キー１４Ｒまたは左方向キー１４Ｌを操作することにより、再生期間バー６３に沿って再生位置ボタン６４を右方または左方に移動させることができ、これに伴ってこの記録閲覧情報は、他の再生位置に早送り、もしくは巻き戻しされる。これにより、この記録閲覧情報の再生位置を変更することが可能である。
【００７６】
また、再生状況表示／操作エリア６２には、記録閲覧情報の再生状態（通常再生や早送り，巻き戻し）にあることを示す再生状態表示マーク６６が表示され、さらに、再生画像表示エリア６１で再生表示されている記録閲覧情報で提供される地点の名称３３ａが表示される。
【００７７】
なお、ここでは、図７に示す地図／地点画面５０において、録画番組のサムネイル画像４１を選択することにより、このサムネイル画像４１で紹介される希望の地点の情報を録画番組で提供されるものであったが、サムネイル画像４１ａ，４１ｂを選択することにより、記録部８や外部記録部２０に記録されている写真やビデオでもって希望とする地点の情報が提供されるものであり、ダウンロードコンテンツなどの他の記録閲覧情報についても同様である。
【００７８】
図９は図７に示す地図／地点画面５０の他の表示状態を示す図であって、５０ａは地図／地点画面であり、図７に対応する部分には同一符号をつけて重複する説明を省略する。
【００７９】
図９に示す地図／地点画面５０ａは、図７に示す地図／地点画面５０において、リモコン１２（図１）の上方向キー１４Ｕ、下方向キー１４Ｄ、右方向キー１４Ｒ、左方向キー１４Ｌを操作して、カーソル５１を関連情報マーク４２が表示される地点種別アイコン３３ｂへ移動させた状態を示すものであって、かかる状態でリモコン１２の決定キー１３が操作されると、図１０に示される地図／地点画面５０ｂの表示に切り替わる。
【００８０】
ここで、図１０において、５０ｂは地図／地点画面、７０は関連情報リスト、７１ａ〜７１ｅは関連記録閲覧情報、７２はサムネイル画像、７３はキーワード、７４はタイトル、７５はカーソルであり、図９に対応する部分には同一符号をつけて重複する説明を省略する。
【００８１】
同図において、この地図／地点画面５０ｂでは、図９に示す地図／地点画面５０ａにおいて、リモコン１２のカーソル５１で決定操作された地点種別アイコン３３ｂや関連情報マーク４２に重ならない領域と大きさで関連情報リスト７０が表示される。
【００８２】
この関連情報リスト７０は、上記のように、記憶部５で関連情報として保持されたキーワード２５ｇに該当する記録部８での記録閲覧情報に関する関連記録閲覧情報７１ａ〜７１ｅのリストであって、夫々の関連記録閲覧情報７１ａ〜７１ｅが記録部８での録画番組やダウンロードコンテンツに相当する。
【００８３】
かかる関連記録閲覧情報７１ａ〜７１ｅは夫々、録画番組やダウンロードコンテンツの付加情報２５ｅ（図３）でのタイトル７４や該当するそのキーワード２５ｇ、それに、このキーワード２５ｇの場面のサムネイル画像７２からなるものである。そして、カーソル７５は、これら関連記録閲覧情報７１ａ〜７１ｅのうちの１つ、例えば、ここでは、関連記録閲覧情報７１ａを指示した状態にあり、かかる状態でリモコン１２の上方向キー１４Ｕ、下方向キー１４Ｄ、右方向キー１４Ｒ、左方向キー１４Ｌを操作することにより、カーソル７５を他の関連記録閲覧情報７１ｂ〜７１ｅを指定することができるし、また、決定キー１３を操作することにより、カーソル７５で指定されている関連記録閲覧情報７１ａ〜７１ｅのいずれかに該当する記録閲覧情報を記録装置８から再生することができ、図８に示す再生画面６０と同様のその再生画面を表示させることができる。
【００８４】
このようにして、記録装置８に記録されている記録閲覧情報のうち、指定された地図の範囲の全ての記録閲覧情報を対象として、ユーザが希望する地点情報の記録閲覧情報を確実に再生させることができる。
【００８５】
以上のように、リモコン１２の簡単な操作により、所望とする地点の情報を録画した放送番組や記録したダウンロードコンテンツ，写真，ビデオからも取得することができる。そして、図７に示す地図／地点画面５０に示すように、地図３１上に地点の情報が表示されるものであるから、その地図３１上の地点の位置から提供を希望する情報を容易に見つけ出すことができるし、また、その地点でかかる地点情報のサムネイル画像が表示されるものであるから、希望する地点の情報であるかも確認することができて、間違えることなく希望する地点の情報を取得することができて、希望する地点の情報を取得するための操作をやり直すなどの手間を省くことができる。
【００８６】
また、ＴＶ受像機１の記録部８や外部記録部２０に記録されている記録閲覧情報に対する地点の情報は、図７に示すように、地図／地点画面５０にサムネイル画像で表示され、それ以外の閲覧情報に対する地点の情報はサムネイル画像で表示されないので、地図３１上でユーザが取得できる地点の情報を明確に判別することができる。なお、この点に関しては、記録部８や外部記録部２０で検索できなかった地点の情報に関しては、地図／地点画面５０では、表示しないようにすることもできるが、これを、図７に示すように、表示しておくことにより、必要な地点の情報を提供する放送番組の再放送のときに録画できるようにすることができるし、また、ダウンロードコンテンツの場合には、そのダウンロードを行なうようにすることもでき、ユーザが希望する地点の情報を取得するのを支援することも可能となる。
【００８７】
なお、以上の実施形態では、図６に示す表示用地図／地点画面情報４０をＴＶ受像機１のデータ検索合成部１０で作成するものであったが、かかるデータ検索合成部１０を地図情報提供サーバ１７に設け、かかる表示用地図／地点画面情報４０を作成してＴＶ受像機１に提供するようにしてもよい。但し、この場合には、ＴＶ受像機１による録画番組やダウンロードコンテンツ，写真，ビデオなどの記録閲覧情報は外部記録部２０に、あるいは記録部８と外部記録部２０に記録され、地図情報提供サーバ１７は、作成した地図／地点情報３０（図４）に対して、その地点情報２２をもとに、外部記録部２０で検索して表示用地図／地点画面情報４０（図６）を作成し、ＴＶ受像機１に提供する。これにより、ネットワーク上で提供されるライブラリ映像サービスなどの映像を利用することが可能となる。
【符号の説明】
【００８８】
１  ＴＶ受像機
２  表示部
３  選局／処理部
４  録画部
５  記憶部
６  ＣＰＵ（中央処理部）
７  操作部
８  記録部
９  通信部
１０  データ検索合成部
１１  画面生成部
１２  リモコン
１３  決定キー
１４Ｕ  上方向キー
１４Ｄ  下方向キー
１４Ｒ  右方向キー
１４Ｌ  左方向キー
１５  地図情報要求キー
１６  関連情報表示ボタン
１７  地図情報提供サーバ
１８  地図データＤＢ
１９  地点情報ＤＢ
２０  ネットワーク
２１  外部記録部
２２  地点情報
２３ａ  地点データ番号
２３ｂ  地点種別
２３ｃ  地点位置
２３ｄ  キーワード
２３ｅ  番組ＩＤ
２３ｆ  地点名称
２３ｇ  リンク情報
２３ｈ  地点識別番号
２４  記録データ
２５ａ  記録データ番号
２５ｂ  記録閲覧情報の種別
２５ｃ  記録閲覧情報の保存場所
２５ｄ  閲覧情報名
２５ｅ  付加情報
２５ｆ  録画番組のＩＤ
２５ｇ  キーワード
２５ｈ  サムネイル画像保存位置
３０  地図／地点情報
３１  地図
３２ａ〜３２ｃ  地点位置
３３ａ〜３３ｃ  地点種別アイコン
３４ａ〜３４ｃ  地点の名称
４０  表示用地図／地点画面情報
４１，４１ａ，４１ｂ  サムネイル画像
４２  関連情報マーク
５０，５０ａ，５０ｂ  地図／地点画面
５１  カーソル
６０  再生画面
６１  再生画面表示エリア
６２  再生状況表示／操作エリア
６３  再生期間バー
６４  再生位置ボタン
６５ａ  再生開始時点
６５ｂ  再生終端時点
６６  再生状態表示マーク
７０  関連情報リスト
７１ａ〜７１ｅ  関連記録閲覧情報
７２  サムネイル画像
７３  キーワード
７４  タイトル
７５はカーソル
【図１】
2010217229.tif 000003
【図２】
2010217229.tif 000004
【図３】
2010217229.tif 000005
【図４】
2010217229.tif 000006
【図５】
2010217229.tif 000007
【図６】
2010217229.tif 000008
【図７】
2010217229.tif 000009
【図８】
2010217229.tif 000010
【図９】
2010217229.tif 000011
【図１０】
2010217229.tif 000012